(57)【要約】【課題】  梁材の屋内外両面に外壁パネルが張設されている梁形構造体に対して、その直下に縦ルーバーを合理的な納まりで容易に後施工できる設置構造を提供する。【解決手段】  溝形の側面形状を有する取付プレート７０Ａの上部取付片７３を、梁材２の下フランジの下面にボルト・ナットを介して綴着しておき、その直下に縦ルーバー３を建て込んで、支持レール３１の下側から上向きに挿着したメンテナンスボルト３７の先端を支持レール３１の上方に突出させ、取付プレート７０Ａの下部取付片７５に形成した取付孔７５１に挿入してナットで綴着する。【選択図】  図８
2018003462.tif 000002
【特許請求の範囲】
【請求項１】
正面視矩形の枠体の内側に縦長の羽根板が複数枚、等間隔で並列配置され、それら羽根板の上端部が前記枠体の上辺部を構成する支持レールから吊持されて鉛直軸回りに回動し得るように構成された縦ルーバーを、Ｈ形鋼からなる梁材の屋内外両面に外壁パネルが張設されてなる梁形構造体の直下に設置するに際し、
長さ方向に直交する断面が横長の矩形をなすように形成された前記支持レールを、前記梁材よりも下方まで延び出した屋内外両面の外壁パネルの下縁部の間から取付プレートを介して前記梁材に結合する縦ルーバーの設置構造であって、
前記取付プレートは、平坦な上部取付片と、前記上部取付片の屋外側の側縁から下方に延びる垂下片と、前記垂下片の下縁から屋内側に向けて水平に張り出した下部取付片と、からなる溝形の側面形状を有し、前記上部取付片が前記梁材の下フランジの下面にボルト・ナットを介して綴着されるとともに、
前記支持レールの下側から上向きに挿着されたメンテナンスボルトの先端が該支持レールを貫通して該支持レールの上方に突き出され、前記取付プレートの下部取付片に形成された取付孔に挿入されてナット綴着されることにより、
前記支持レールが前記梁材に結合された、
ことを特徴とする縦ルーバーの設置構造。
【請求項２】
正面視矩形の枠体の内側に縦長の羽根板が複数枚、等間隔で並列配置され、それら羽根板の上端部が前記枠体の上辺部を構成する支持レールから吊持されて鉛直軸回りに回動し得るように構成された縦ルーバーを、Ｈ形鋼からなる梁材の屋内外両面に外壁パネルが張設されてなる梁形構造体の直下に設置するに際し、
長さ方向に直交する断面が横長の矩形をなすように形成された前記支持レールを、前記梁材よりも下方まで延び出した屋内外両面の外壁パネルの下縁部の間から取付プレートを介して前記梁材に結合する縦ルーバーの設置構造であって、
前記取付プレートは、平坦な上部取付片と、前記上部取付片から下方に延びる垂下片と、前記垂下片の下縁から屋内側へ斜め下向きに張り出した下部取付片と、を有し、前記上部取付片が前記梁材の下フランジの下面にボルト・ナットを介して綴着される一方、
前記支持レールの上面には、平坦な基片と、該基片の屋外側の側縁から屋外側へ斜め上向きに延びる斜立片とを有するブラケットが重ねられて、前記支持レールの下側から上向きに挿着されたメンテナンスボルトの先端が該支持レールを貫通して該支持レールの上方に突き出され、前記ブラケットの基片に形成された雌ねじ孔に締結されることにより、前記支持レールに前記ブラケットが結合され、
前記ブラケットの斜立片が前記取付プレートの下部取付片の下面に重ねられて、屋外側の外壁パネルと前記支持レールとの間から斜め上向きに挿し込まれた連結ボルトが、前記ブラケットの斜立片に形成された取付孔に挿通されて、前記取付プレートの下部取付片に形成された雌ねじ孔に締結されることにより、前記支持レールが前記梁材に結合された、
ことを特徴とする縦ルーバーの設置構造。
【請求項３】
請求項２に記載された縦ルーバーの設置構造において、
前記取付プレートの垂下片と下部取付片とが別体に形成され、ヒンジ部を介して回動自在に軸着されることにより、前記下部取付片の傾斜角が調整可能となされた、
ことを特徴とする縦ルーバーの設置構造。
【請求項４】
請求項１、２または３に記載された縦ルーバーの設置構造において、
前記取付プレートは、梁材の材軸方向に沿う下部取付片および上部取付片の長さが、垂下片の見付けよりも大きくなるように形成されている
ことを特徴とする縦ルーバーの設置構造。
【請求項５】
請求項１〜４のいずれか一項に記載された縦ルーバーの設置構造において、
前記梁材の下フランジと前記取付プレートの上部取付片とを綴着するためのナットは、下フランジの上面に固着されるか、または、下フランジを挟着するクリップと一体化されて、共回りしないように下フランジの上面に保持されている
ことを特徴とする縦ルーバーの設置構造。
【請求項６】
請求項１〜５のいずれか一項に記載された縦ルーバーの設置構造において、
屋外側の外壁パネルの下端部に、下方から屋外側の化粧回り縁が取り付けられ、
前記支持レールの屋外側見付面と前記屋外側の化粧回り縁との隙間、および前記化粧回り縁と屋外側の外壁パネルの下縁部との隙間が、それぞれシーリング処理された
ことを特徴とする縦ルーバーの設置構造。
【請求項７】
請求項１〜６のいずれか一項に記載された縦ルーバーの設置構造において、
前記支持レールの屋内側見付面に、該支持レールと底面を揃えて屋内側から化粧回り縁が取り付けられ、
前記屋内側の化粧回り縁と屋内側の外壁パネルの下縁部との隙間がシーリング処理された
ことを特徴とする縦ルーバーの設置構造。
【発明の詳細な説明】
【技術分野】
【０００１】
本発明は、建物外壁の開口部に縦ルーバーユニットを設置する場合の設置構造に関する。より詳細には、Ｈ形鋼からなる梁材の屋内外両面に外壁パネルを張設して形成される梁形構造体の下縁部に沿って、縦ルーバーユニットの上部レールを組み付けるのに好適な設置構造に関する。
【背景技術】
【０００２】
建物外壁の開口部に可動式のルーバーを設置して、屋外からの視線を遮蔽したり、屋内への採光や通風を調整したりすることがよく行われる。その種のルーバーの例として、縦長の羽根板を複数枚、等間隔で横方向に並列配置し、それらを鉛直軸回りに回転させるように構成した縦ルーバーが公知である（例えば、特許文献１、２等）。
【０００３】
図１〜図３は、鉄骨造建物の１階のアルコーブに、１階の階高に近い高さを有する大型の縦ルーバーを設置する場合の納まりを示している。例示形態では、１階のアルコーブ１１の上方に、２階のオーバーハング部１２がせり出しており、そのオーバーハング部１２を支持する２階の梁材２の下方に縦ルーバー３が設置される。
【０００４】
縦ルーバー３は、梁材２の直下に、梁材２に沿って水平に取り付けられる支持レール３１と、縦向きの姿勢で支持レール３１に吊持され鉛直軸回りに回転する複数枚の羽根板３２と、地盤面に設けられた基台１３上に水平に取り付けられて羽根板３２の下端部を回転可能に保持する保持レール３３とを具備し、支持レール３１の内部に羽根板３２を回転させる連動機構が組付けられる。
【０００５】
支持レール３１は、長さ方向に直交する断面が横長の矩形をなす中空の部材で、支持レール本体３１１と蓋体３１２とを組み合わせて形成されている。支持レール３１の内部は、本体の中間部分から立ち上がる内壁３１３によって、屋外側の連動室３１４と、屋内側の調整室３１５とに仕切られている。連動室３１４には、ラック３４とピニオン３５とからなる連動機構が組付けられる。ラック３４は、支持レール３１の長手方向に沿って延びる略角棒状の部材で、支持レール３１の長手方向に移動し得るように組付けられ、側面に形成されたラック歯をピニオン３５に係合させている。ピニオン３５は、略円筒状の部材で、支持レール３１の長手方向に沿って羽根板３２の間隔に対応する間隔で複数個配置され、周面に形成されたピニオン歯をラック歯に係合させて、複数個が連動して鉛直軸回りに回転するように組付けられている。このピニオン３５には、羽根板３２の上端部から上向きに突設された連結軸３６が、支持レール３１の下方から支持レール３１の底面部を貫通して連結される。
【０００６】
連動機構に羽根板３２が連結された支持レール３１の上面は、平坦な上面を有する蓋体３１２によって塞がれる。その蓋体３１２の上面に、支持レール３１と略同幅の、防火性を有する硬質木片セメント板４１が重ねられる。さらに、その上にＬ字形の側面形状を有するブラケット５が重ねられる。ブラケット５の基片５１には雌ねじ孔５２がタッピングされている。そして、羽根板３２の間から支持レール３１を上向きに貫通するように挿入されたメンテナンスボルト３７が、ブラケット５の基片５１に形成された雌ねじ孔５２に締結されて、支持レール３１と硬質木片セメント板４１とブラケット５とが一体的に結合される。なお、支持レール３１の内部にてメンテナンスボルト３７が挿通されている符号３８の部材は、メンテナンスボルト３７のねじ込み長さを適正に保持するためのスペーサーである。
【０００７】
こうして組上げられた縦ルーバー３が、梁材２の直下に建て込まれる。梁材２はＨ形鋼からなり、その屋外側に、あらかじめ外壁パネル６が張設されている。外壁パネル６は、外装材６１と、その裏面に添設された鋼製のパネル枠材６２とからなり、パネル枠材６２が、専用の外壁取付具６３を介して、梁材２の上フランジ２１および下フランジ２２の屋外側半部に保持されている。外壁パネル６の下端部には、軒下の水切りを兼ねる化粧回り縁６４が取り付けられている。
【０００８】
梁材２の下フランジ２２には、側面視Ｌ字形に屈曲された取付プレート７が取り付けられている。取付プレート７の水平片７１は、梁材２の下フランジ２２の屋内側半部の下面に、ボルト８１・ナット８２を介して綴着されている。取付プレート７の垂下片７２は、梁材２のウェブ２３の略直下に配置されている。そして、縦ルーバー３に取り付けられたブラケット５の直立片５３が、梁材２に取り付けられた取付プレート７の垂下片７２に屋内側から添設され、ボルト８３・ナット８４を介して綴着される。
【０００９】
こうして、縦ルーバー３が梁材２の直下に設置された後、外壁パネル６の化粧回り縁６４と縦ルーバー３の支持レール３１との間にシーリング材６５を充填して防水処理が施される。また、取付プレート７の水平片７１が梁材２の屋内側に延設され、その延設縁から吊りボルト４２を介して軒天野縁４３が吊持され、この軒天野縁に軒裏サイディング４４が取り付けられて、支持レール３１の屋内側に軒天井４が仕上げられる。
【００１０】
このように、例えば１階のアルコーブ１１の上方に２階のオーバーハング部１２がせり出す鉄骨造建物において、そのオーバーハング部１２を支持する２階の梁材２の下方に縦ルーバー３を設置する場合は、それに先行して梁材２の屋外側に外壁パネル６が張設されていても、軒天井４が未施工であれば、梁材２の屋内側に十分な施工空間がある。したがって、梁材２の下方に取付プレート７とブラケット５とをボルト８３・ナット８４で綴着する作業を、該綴着部位の屋内側から特に無理なく行うことができる。
【先行技術文献】
【特許文献】
【００１１】
【特許文献１】特開２００８−２５０９５号公報
【特許文献２】特開２００９−１９７５６２号公報
【発明の概要】
【発明が解決しようとする課題】
【００１２】
広いテラスやピロティを有する比較的規模の大きい戸建住宅等においては、図４に示すような半屋外空間が設けられることがある。例示の半屋外空間は、建物の１階部分に付設されたテラス１４の外周部分を壁１５で囲み、テラスの上方には屋根を設けず、あるいは開閉式の簡易な屋根（図示せず）を設けるなどして開放感を高めた空間で、ロジアとも称される。このような半屋外空間においても、それを囲む壁１５の一部に大型の縦ルーバー３を設置して、外部からの視線や採光、通風を調整することは、居住性を高める上できわめて有効である。
【００１３】
しかしながら、ロジアを囲む壁１５は通常、その屋外側だけでなく屋内側も外壁として仕上げられるので、その面内に前述のような納まりで縦ルーバー３を設置するのは物理的に難しい。つまり、図５に示すように、壁１５の内部に架設される梁材２の屋内外両面に、外壁パネル６、６が先行して張設されるため、両外壁パネル６、６間に挟まれた空間の幅が、せいぜい十数ｃｍほどしかなく、その狭い空間に向けて、上面にブラケット５を突出させた縦ルーバー３を建て起こすのは、高さ寸法的に無理がある。また、縦ルーバーを建て起こせたとしても、外壁パネル６のパネル枠材６２と支持レール３１が邪魔になって、両外壁パネル６、６の隙間に手が入らないので、取付プレート７の垂下片７２とブラケット５とをボルト８３・ナット８４で綴着するのは実質的に不可能である。
【００１４】
ロジアに設置されるような大型の縦ルーバー３は、羽根板３２自体が重くなり、それを吊持する枠体や羽根板３２を回転させる機構部品も大がかりなものになる。したがって、縦ルーバー３を梁材２の直下に精度よく位置決めして建て込むのが大変で、梁材２に結合するための納まりにも相応の強度が求められる。本発明は、かかる事情に鑑みてなされたもので、ロジアを囲む壁１５のように、Ｈ形鋼からなる梁材２の屋内外両面にあらかじめ外壁パネル６、６が張設されている梁形構造体１６に対しても、その直下に大型の縦ルーバー３を、合理的な納まりで容易に後施工することのできる縦ルーバーの設置構造を提供するものである。
【課題を解決するための手段】
【００１５】
本発明の縦ルーバーの設置構造は、正面視矩形の枠体の内側に縦長の羽根板が複数枚、等間隔で並列配置され、それら羽根板の上端部が前記枠体の上辺部を構成する支持レールから吊持されて鉛直軸回りに回動し得るように構成された縦ルーバーを、Ｈ形鋼からなる梁材の屋内外両面に外壁パネルが張設されてなる梁形構造体の直下に設置するに際し、
長さ方向に直交する断面が横長の矩形をなすように形成された前記支持レールを、前記梁材よりも下方まで延び出した屋内外両面の外壁パネルの下縁部の間から取付プレートを介して前記梁材に結合することを前提とするものである。
【００１６】
そして、前述の目的を達成するための第１の基本的構成として、前記取付プレートが、平坦な上部取付片と、前記上部取付片の屋外側の側縁から下方に延びる垂下片と、前記垂下片の下縁から屋内側に向けて水平に張り出した下部取付片と、からなる溝形の側面形状を有し、前記上部取付片が前記梁材の下フランジの下面にボルト・ナットを介して綴着されるとともに、前記支持レールの下側から上向きに挿着されたメンテナンスボルトの先端が該支持レールを貫通して該支持レールの上方に突き出され、前記取付プレートの下部取付片に形成された取付孔に挿入されてナット綴着されることにより、前記支持レールが前記梁材に結合された、との構成を採用する。
【００１７】
また、前述の目的を達成するための第２の基本的構成として、前記取付プレートが、平坦な上部取付片と、前記上部取付片から下方に延びる垂下片と、前記垂下片の下縁から屋内側へ斜め下向きに張り出した下部取付片と、を有し、前記上部取付片が前記梁材の下フランジの下面にボルト・ナットを介して綴着される一方、前記支持レールの上面には、平坦な基片と、該基片の屋外側の側縁から屋外側へ斜め上向きに延びる斜立片とを有するブラケットが重ねられて、前記支持レールの下側から上向きに挿着されたメンテナンスボルトの先端が該支持レールを貫通して該支持レールの上方に突き出され、前記ブラケットの基片に形成された雌ねじ孔に締結されることにより、前記支持レールに前記ブラケットが結合され、前記ブラケットの斜立片が前記取付プレートの下部取付片の下面に重ねられて、屋外側の外壁パネルと前記支持レールとの間から斜め上向きに挿し込まれた連結ボルトが、前記ブラケットの斜立片に形成された取付孔に挿通されて、前記取付プレートの下部取付片に形成された雌ねじ孔に締結されることにより、前記支持レールが前記梁材に結合された、との構成を採用する。
【００１８】
さらに、前記第２の基本的構成に加えて、前記取付プレートの垂下片と下部取付片とが別体に形成され、ヒンジ部を介して回動自在に軸着されることにより、前記下部取付片の傾斜角が調整可能となされた、との構成を採用する。
【００１９】
これらの基本的構成を採用することにより、Ｈ形鋼からなる梁材の屋内外両面にあらかじめ外壁パネルが張設されている梁形構造体に対して、その直下に大型の縦ルーバーを、合理的な納まりで容易に後施工することが可能になる。
【００２０】
前記各構成においては、前記取付プレートの、梁材の材軸方向に沿う下部取付片および上部取付片の長さが、垂下片の見付けよりも大きくなるように形成されていると、前記垂下片の両脇に手を差し入れることのできる施工空間が確保されて、より好ましい。
【００２１】
また、前記各構成においては、前記梁材の下フランジと前記取付プレートの上部取付片とを綴着するためのナットが、下フランジの上面に固着されるか、または、下フランジを挟着するクリップと一体化されて、共回りしないように下フランジの上面に保持されているようにすると、梁材の下フランジに取付プレートを取り付ける際の作業性が一層、向上する。
【００２２】
また、前記各構成においては、屋外側の外壁パネルの下端部に、下方から屋外側の化粧回り縁が取り付けられ、前記支持レールの屋外側見付面と前記屋外側の化粧回り縁との隙間、および前記化粧回り縁と屋外側の外壁パネルの下縁部との隙間が、それぞれシーリング処理されるようにすることで、屋外側の外壁パネルと縦ルーバーとの取合い箇所周辺を好適に防水処理することができる。
【００２３】
また、前記支持レールの屋内側見付面に、該支持レールと底面を揃えて屋内側から化粧回り縁が取り付けられ、前記屋内側の化粧回り縁と屋内側の外壁パネルの下縁部との隙間がシーリング処理されるようにすることで、屋内側の外壁パネルと縦ルーバーとの取合い箇所周辺も好適に防水処理することができる。
【発明の効果】
【００２４】
前述のように構成される本発明の縦ルーバーの設置構造によれば、Ｈ形鋼からなる梁材の屋内外両面に外壁パネルが先行して張設される梁形構造体に対しても、その梁材の直下に、縦ルーバーの支持レールを合理的な納まりで容易に、かつ強固に結合することができる。
【図面の簡単な説明】
【００２５】
【図１】建物１階のアルコーブに縦ルーバーを設置する形態を例示する断面略図である。
【図２】図１の形態における縦ルーバーの設置構造を示す断面図である。
【図３】図２に示した設置構造の分解斜視図である。
【図４】ロジアと称される半屋外空間の例を示す斜視図である。
【図５】ロジアに設けられる梁形構造体と縦ルーバーとの納まりの問題点を示す断面図である。
【図６】本発明の第１実施形態に係る縦ルーバーの設置構造を示す断面図である。
【図７】前記第１実施形態に採用されている取付プレートの斜視図である。
【図８】前記第１の実施形態において、支持レールの屋外側および屋内側に化粧回り縁を取り付けた状態の断面図である。
【図９】本発明の第２実施形態に係る縦ルーバーの設置構造を示す断面図である。
【図１０】前記第２実施形態に採用されている取付プレートの斜視図である。
【図１１】本発明の第３実施形態に係る縦ルーバーの設置構造を示す断面図である。
【図１２】前記第３実施形態に採用されている取付プレートの斜視図である。
【発明を実施するための形態】
【００２６】
以下、本発明の実施の形態について、図面を参照しつつ説明する。なお、以下に説明する複数の実施形態において、図１〜図５に示した従来の縦ルーバーの設置構造と実質的に同一の構成要素には共通の符号を付して、それらの詳細な説明は省略する。また、複数の実施形態に共通する特定の構成要素のうち、先述の実施形態におけるそれと後述の実施形態におけるそれとを特に区別する必要がある場合には、必要に応じて、当該構成要素に対応する同一の数字符号にアルファベット（Ａ，Ｂ，…）を付記するが、数字符号が同一の構成要素についての基本的概念は、各実施形態を通じて共通である。
【００２７】
（第１実施形態）
図６〜図８は本発明の第１実施形態を示す。この実施形態における縦ルーバー３の構成は、「背景技術」欄において説明した構成（図２）と同一である。ロジアに設置される梁形構造体１６も、「発明が解決しようとする課題」に説明したもの（図５）と同様に、Ｈ形鋼からなる梁材２の屋内外両面にあらかじめ外壁パネル６、６を張設して形成されている。外壁パネル６、６を梁材２に保持する外壁取付具６３も、前記従来のものと同一である。例示形態において想定されている梁材２のフランジ幅は約１２５ｍｍ、梁材２を挟んで相対する屋内外の外壁パネル６、６の間隔は、パネル枠材６２、６２間で約１５０ｍｍ、外装材６１、６１の裏面間で約３００ｍｍであり、外壁パネル６、６の下端部は梁材２の下フランジ２２よりも約１５０ｍｍ下方に延び出している。
【００２８】
この梁形構造体１６の下方に縦ルーバー３を設置するに際し、第１実施形態では、図７に示すような取付プレート７０Ａを利用して、梁材２の下フランジ２２に縦ルーバー３の支持レール３１を結合する。
【００２９】
取付プレート７０は、平坦な上部取付片７３と、上部取付片７３の屋外側の側縁から下方に延びる垂下片７４Ａと、垂下片７４Ａの下縁から屋内側に向けて水平に張り出した下部取付片７５と、からなる溝形の側面形状を有している。上部取付片７３は、梁材２の材軸方向を長手とする上面視矩形の形状をなし、その長手両端近傍２か所に取付孔７３１が形成されている。垂下片７４Ａは、高さ方向を長手とする正面視矩形の形状をなし、その見付け（梁材２の材軸方向に沿う寸法、開口部の正面から見た幅）が上部取付片７３の長手寸法よりも十分に小さくなるように形成されている。下部取付片７５は、梁材２の材軸方向を長手とする上面視矩形の形状をなし、その長手両端近傍２か所に取付孔７５１が形成されている。取付孔７５１の間隔は、縦ルーバー３の支持レール３１に挿着されるメンテナンスボルト３７の配置間隔に対応している。なお、その取付孔７５１の一方または両方は、梁材２の材軸方向に延びる長孔であってもよい。
【００３０】
この取付プレート７０が、縦ルーバー３を建て込む前に、梁材２の下フランジ２２に取り付けられる。その取り付けは、取付プレート７０の上部取付片７３を梁材２の下フランジ２２の下面に当てがい、下方からボルト８１・ナット８２で綴着することにより行われる。例示形態では、側面視略コ字形に屈曲させたばね鋼板からなるクリップ８５にナット８２を一体化したクリップナット（ナットクリップ）を、ナット８２が下フランジ２２の上側になるようにして下フランジ２２に挟着することで、ナット８２の共回りを防止している。なお、このナット８２は、あらかじめ下フランジ２２の上面に溶接等によって固着されていてもよい。ボルト８１は、垂下片７４Ａの両脇の空間から上向きに挿し込まれてナット８２に締結される。ボルト８１を締結する際には、垂下片７４Ａの両脇の空間に電動工具等（図示せず）を差し入れることも可能である。
【００３１】
このようにして取り付けられた取付プレート７０の直下に、縦ルーバー３が建て込まれる。このとき、縦ルーバー３の支持レール３１の上面には何も突出物が取り付けられていないので、縦ルーバー３は取付予定位置の屋内外どちら側からでも建て込むことができる。なお、この第１実施形態では、縦ルーバー３の建て込みに先立って、支持レール３１の屋内側見付面にあらかじめ化粧回り縁６６が取り付けられている。この化粧回り縁６６は、上面の一部が開口した略矩形の断面を有し、その底面を支持レール３１の底面と面一に揃えるようにして屋内側から支持レール３１にねじ止めされているが、縦ルーバー３の建て込みには干渉しない。
【００３２】
縦ルーバー３が適正に位置決めされた後、羽根板３２の間から支持レール３１を上向きに貫通するように挿着されたメンテナンスボルト３７が、取付プレート７０の下部取付片７５の取付孔７５１に挿通され、下部取付片７５の上面に当てがわれたナット８６に締結される。このナット８６は、支持レール３１の屋外側から手を入れて押さえることができる。また、下部取付片７５に形成される取付孔７５１が長孔であれば、縦ルーバー３を建て込む際の位置調整も容易になる。
【００３３】
こうして、縦ルーバー３の支持レール３１が取付プレート７０に結合された後、化粧回り縁６６の両側面と、これに重なる支持レール３１の屋内側見付面に形成された調整用通孔（図示せず）に屋内側から工具を挿入して調整ねじ３９を操作し、羽根板３２の回転固さ等を調整する。この調整用通孔は、調整作業の終了後、屋内側見付面にカバー板６７をねじ止めして塞がれる。
【００３４】
そして、図８に示すように、屋外側の外壁パネル６の下端部に水切りを兼ねる化粧回り縁６４が取り付けられる。屋外側の化粧回り縁６４には、支持レール３１の屋外側見付面との隙間を埋めるための見切材６８があらかじめねじ止めされており、それらがまとめて、屋外側の外壁パネル６のパネル枠材６２に対して下方からねじ止めされる。
【００３５】
最後に、屋外側の外壁パネル６の下縁部と屋外側の化粧回り縁６４との隙間、見切材６８と支持レール３１の屋外側見付面との隙間、屋内側の外壁パネル６の下縁部と屋内側の化粧回り縁６６との隙間に、それぞれシーリング材６５が充填されて防水処理が施される。
【００３６】
（第２実施形態）
図９および図１０は本発明の第２実施形態を示す。この実施形態における縦ルーバー３および梁形構造体１６の構成は、前述の第１実施形態と同一である。この第２実施形態では、梁形構造体１６の下フランジ２２に縦ルーバー３の支持レール３１を結合するに際し、図１０に示したような取付プレート７０Ｂとブラケット５０とを利用する。
【００３７】
取付プレート７０Ｂは、平坦な上部取付片７３と、上部取付片７３の屋外側の側縁から下方に延びる垂下片７４Ｂと、垂下片７４Ｂの下縁から屋内側へ斜め下向きに張り出した下部取付片７６と、を有している。
【００３８】
上部取付片７３は、梁材２の材軸方向を長手とする上面視矩形の形状をなし、その長手両端近傍２か所に取付孔７３１が形成されている。この上部取付片７３は、第１実施形態に係る取付プレート７０Ａの上部取付片７３と基本的機能において同等であるが、形状的には第１実施形態に係る取付プレート７０Ａの上部取付片７３ほど細長くはない。
【００３９】
垂下片７４Ｂは、上部取付片７３の長手寸法と略同寸の見付けを有する上半部７４１と、それよりも見付けの大きい下半部７４２とが同一面で連続する、正面視逆Ｔ字型の形状をなしている。
【００４０】
下部取付片７６は、垂下片７４Ｂの下縁から一旦、屋外側へ斜め下向きに張り出した後、側面視く字形に反転屈曲して、屋内側へ斜め下向きに張り出す形状をなしている。それら各部の見付けは一様であり、斜面の傾斜角は約４５度である。屋内側へ斜め下向きに張り出した部分には、１か所ないし２か所の雌ねじ孔７６１が、タッピングまたは図示しないナット溶接によって形成されている。
【００４１】
この取付プレート７０Ｂが、縦ルーバー３を建て込む前に、梁材２の下フランジ２２に取り付けられる。取付プレート７０Ｂの上部取付片７３を梁材２の下フランジ２２にボルト８１・ナット８２で綴着する取付構造および取付方法は、前述した第１実施形態と同じである。
【００４２】
一方、ブラケット５０は、縦ルーバー３の建て込み作業に先立って、あらかじめ支持レール３１の上面に取り付けられる。ブラケット５０は、平坦な基片５１と、基片５１の屋外側の側縁から屋外側へ斜め上向きに延びる斜立片５４とを有する、側面視く字形の部材である。基片５１には、１ないし２か所の雌ねじ孔５２が、タッピングまたは図示しないナット溶接によって形成されている。そして、この基片５１が支持レール３１の上面に重ねられ、羽根板３２の間から支持レール３１を上向きに貫通するように挿着されたメンテナンスボルト３７が、基片５１の雌ねじ孔５２に締結されて、支持レール３１にブラケット５０が結合される。
【００４３】
ブラケット５０の斜立片５４には、取付プレート７０Ｂの下部取付片７６に形成された雌ねじ孔７６１に対応する取付孔５５が形成されている。この取付孔５５は、支持レール３１の材軸方向に延びる長孔になっている。
【００４４】
支持レール３１にこのようなブラケット５０を取り付けた縦ルーバー３が、取付プレート７０Ｂの直下に建て込まれる。このとき、縦ルーバー３の支持レール３１の上面には既にブラケット５０の斜立片５４が突出しているので、斜立片５４と外壁パネル６との干渉を避けるために、縦ルーバー３は取付予定位置の屋外側から建て起こすようにして位置決めされる。そして、ブラケット５０の斜立片５４が取付プレート７０Ｂの下部取付片７６の下面に重ねられた状態で縦ルーバー３が適正に位置決めされた後、屋外側の外壁パネル６と支持レール３１との間に形成される空間から連結ボルト８７が斜め上向きに挿し込まれ、ブラケット５０の取付孔５５に挿通されて取付プレート７０Ｂの雌ねじ孔７６１に締結される。これにより、縦ルーバー３の支持レール３１がブラケット５０および取付プレート７０Ｂを介して梁材２に結合される。このように、支持レール３１の屋外側から斜め上向きに連結ボルト８７を締結する納まりを採用することで、縦ルーバー３を梁材２に対して容易に、かつ強固に結合することができる。
【００４５】
続いて、屋外側の外壁パネル６の下端部に水切りを兼ねる化粧回り縁６４が取り付けられて、シーリング処理が施されることは、前述の第１実施形態と同様である。
【００４６】
（第３実施形態）
図１１および図１２は本発明の第３実施形態を示す。この実施形態における縦ルーバー３および梁形構造体１６の構成も、前述の第１実施形態および第２実施形態と同一である。この第３実施形態では、梁形構造体１６の下フランジ２２に縦ルーバー３の支持レール３１を結合するに際し、図１２に示したような取付プレート７０Ｃとブラケット５０とを利用する。
【００４７】
取付プレート７０Ｃは、第２実施形態に係る取付プレート７０Ｂの垂下片７４Ｂと下部取付片７６とが別体に形成され、それらがヒンジ部を介して回動自在に軸着された構成を有している。上部取付片７３は、梁材２の材軸方向を長手とする上面視矩形の形状をなし、その長手両端近傍２か所に取付孔７３１が形成されている。垂下片７４Ｃは、高さ方向を長手とする矩形の板片であるが、第２実施形態とは異なり、梁材２の材軸と直交する姿勢で、上部取付片７３の中央付近から下方に延び出している。垂下片７４Ｃの下端近傍には円形のヒンジ孔（図示せず）が形成されている。
【００４８】
下部取付片７６は、下部回動部材７７の一部分として設けられる。下部回動部材７７は、下部取付片７６と下部直立片７８とヒンジアーム片７９とを有する。下部取付片７６および下部直立片７８は、梁材２の材軸方向を長手とする矩形の板体を側面視く字状に屈曲して形成されている。下部取付片７６には、１か所ないし２か所の雌ねじ孔７６１が、タッピングまたは図示しないナット溶接によって形成されている。ヒンジアーム片７９は、下部取付片７６および下部直立片７８の長手中間付近に、両片に対して直交するように添設されている。このヒンジアーム片７９の中間付近にヒンジ孔（図示せず）が形成され、このヒンジ孔と垂下片７４Ｃのヒンジ孔とが重ねられて、ボルト・ナット８８で軸着される。これにより、下部回動部材７７が垂下片７４Ｃに対して回動し得るように保持され、下部取付片７６の傾斜角を微調整することが可能になる。
【００４９】
この取付プレート７０Ｃが、縦ルーバー３を建て込む前に、梁材２の下フランジ２２に取り付けられる。取付プレート７０Ｃの上部取付片７３を梁材２の下フランジ２２にボルト８１・ナット８２で綴着する取付構造および取付方法は、前述した第１実施形態および第２実施形態と同じである。
【００５０】
一方、縦ルーバー３には、その建て込み作業に先立って、あらかじめ支持レール３１の上面にブラケット５０が取り付けられる。このブラケット５０は、第２実施形態のブラケット５０と同じものであり、支持レール３１との結合構造も第２実施形態と同一である。
【００５１】
この縦ルーバー３が、第２実施形態と同様にして取付プレート７０の直下に建て込まれる。ブラケット５０の斜立片５４が取付プレート７０Ｃの下部取付片７６の下面に重ねられた状態で、屋外側の外壁パネル６と支持レール３１との間に形成される空間から連結ボルト８７が斜め上向きに締結されることで、縦ルーバー３の支持レール３１が梁材２に結合される。このように、支持レール３１の屋外側から斜め上向きに連結ボルト８７を締結する納まりを採用することで、縦ルーバー３を梁材２に対して容易に、かつ強固に結合することができる。さらに、取付プレート７０Ｃの下部取付片７６の傾斜角を調整できるように構成することで、縦ルーバー３を建て込む際の位置決め精度を高めることができる。
【００５２】
続いて、第１実施形態および第２実施形態と同様に、屋外側の外壁パネル６の下端部に水切りを兼ねる化粧回り縁６４が取り付けられて、シーリング処理が施される。
【００５３】
前述の各実施形態に示したような縦ルーバーの設置構造を採用することにより、住宅その他の建物において、ロジア等の半屋外空間を設けた空間デザインの自由度を拡張することができ、光や風を有効に活用する居住空間を実現しやすくなる。
【００５４】
なお、本発明の技術的範囲は、例示した実施の形態によって限定的に解釈されるべきものではなく、特許請求の範囲の記載に基づいて概念的に解釈されるべきものである。本発明の実施に際しては、例示形態と実質的に同様の作用効果が得られる範囲において、構成部材の細部の形状や寸法、部材同士の組付け順序等を多少、改変することはもちろん可能である。
【符号の説明】
【００５５】
１１  アルコーブ
１２  オーバーハング部
１３  基台
１４  テラス
１５  壁
１６  梁形構造体
２  梁材
２１  上フランジ
２２  下フランジ
２３  ウェブ
３  縦ルーバー
３１  支持レール
３１１  支持レール本体
３１２  蓋体
３１３  内壁
３１４  連動室
３１５  調整室
３２  羽根板
３３  保持レール
３４  ラック
３５  ピニオン
３６  連結軸
３７  メンテナンスボルト
３８  スペーサー
３９  調整ねじ
４  軒天井
４１  硬質木片セメント板
４２  吊りボルト
４３  軒天野縁
４４  軒裏サイディング
５  ブラケット
５０  ブラケット
５１  基片
５２  雌ねじ孔
５３  直立片
５４  斜立片
５５  取付孔（長孔）
６  外壁パネル
６１  外装材
６２  パネル枠材
６３  外壁取付具
６４  化粧回り縁（屋外側）
６５  シーリング材
６６  化粧回り縁（屋内側）
６７  カバー板
６８  見切材
７  取付プレート
７０Ａ  取付プレート
７０Ｂ  取付プレート
７０Ｃ  取付プレート
７１  水平片
７２  垂下片
７３  上部取付片
７３１  取付孔
７４Ａ  垂下片
７４Ｂ  垂下片
７４Ｃ  垂下片
７４１  上半部
７４２下半部
７５  下部取付片
７５１  取付孔
７６  下部取付片
７６１  雌ねじ孔
７７  下部回動部材
７８  下部直立片
７９  ヒンジアーム片
８１  ボルト
８２  ナット
８３  ボルト
８４  ナット
８５  クリップ
８６  ナット
８７  連結ボルト
８８  ボルト・ナット
【図１】
2018003462.tif 000003
【図２】
2018003462.tif 000004
【図３】
2018003462.tif 000005
【図４】
2018003462.tif 000006
【図５】
2018003462.tif 000007
【図６】
2018003462.tif 000008
【図７】
2018003462.tif 000009
【図８】
2018003462.tif 000010
【図９】
2018003462.tif 000011
【図１０】
2018003462.tif 000012
【図１１】
2018003462.tif 000013
【図１２】
2018003462.tif 000014